(57)【要約】【課題】シートトレイを小型化しても、積層状態のシートを支持するための空間が狭くなることがないシートトレイを提供する。【解決手段】排出トレイ２１は、排出向き１７へ排出される記録用紙１５を積層状態で支持する第１トレイ８１と、第１トレイ８１の下方から排出向き１７へ延出するように第１トレイ８１にスライド可能に支持された第２トレイ８２と、を具備する。第１トレイ８１は、上面８６と、上面８６より下方に凹んだ切欠き部８９と、を有する。第２トレイ８２は、上面１０６と、上面１０６より下方に凹んでおり切欠き部８９に対して排出向き１７へ並んで配置された切欠き部１１１を有する。【選択図】図８
2015034065.tif 000002
【特許請求の範囲】
【請求項１】
排出向きへ排出されるシートを積層状態で支持する第１サポート部材と、当該第１サポート部材の下方から排出向きへ延出するように当該第１サポート部材にスライド可能に支持された第２サポート部材と、を具備するシートトレイであって、
上記第１サポート部材は、第１支持面と、当該第１支持面より下方に凹んだ第１凹部と、を有しており、
上記第２サポート部材は、第２支持面と、当該第２支持面より下方に凹んでおり上記第１凹部に対して排出向きへ並んで配置された第２凹部を有するものであるシートトレイ。
【請求項２】
上記第１凹部及び上記第２凹部は、シートを支持する底面をそれぞれ有するものである請求項１に記載のシートトレイ。
【請求項３】
上記第２サポート部材の排出向き先端側に設けられており、第１回動状態において上記第２サポート部材の上方に重畳し、第２回動状態において上記第２サポート部材から排出向きへ突出する第３サポート部材を更に具備しており、
上記第３サポート部材は、上記第２凹部に対して幅方向の両側に配置されて上記第２支持面より上方へ突出する凸部を有するものである請求項１又は２に記載のシートトレイ。
【請求項４】
請求項１から３のいずれかに記載のシートトレイと、
外部へ開口された内部空間を有する装置筐体と、
上記装置筐体の内部空間へシートを搬送する搬送部と、を具備する搬送装置であって、
上記シートトレイは、上記装置筐体の内部空間に配置されており、
上記第２サポート部材は、上記第１サポート部材から排出向きへ延出された状態において、上記装置筐体の開口から外部へ突出するものである搬送装置。
【発明の詳細な説明】
【技術分野】
【０００１】
本発明は、排出向きへ排出されるシートを積層状態で支持する第１サポート部材と、当該第１サポート部材の下方から排出向きへ延出するように当該第１サポート部材にスライド可能に支持された第２サポート部材と、を具備するシートトレイに関する。
【背景技術】
【０００２】
プリンタなどの画像記録装置は、画像記録される記録用紙などのシートを搬送する搬送装置を備えている。搬送装置は、排出されたシートを積層状態で支持するシートトレイを備えている。
【０００３】
搬送装置を備えた画像記録装置は、小型化の要望がある一方、大きなサイズのシートが搬送できることが望まれる。これらの要望を満たすために、画像記録装置により記録可能な最大サイズのシートより小さな支持面を有するシートトレイを採用して、支持面より大きなシートは、支持面から一部がはみ出した状態でシートトレイに支持される。
【０００４】
しかしながら、支持面からはみ出したシートの一部は、自重などによって下方へ垂れ下がることがある。その結果、シートにおいて垂れ下がった側と反対側となる排出向き上流側が持ち上がり、その次に排出されるシートと当接して、円滑なシートの排出を妨げる恐れがある。このような問題に対して、シートの両側を持ち上げるリブなどをシートトレイに設けて、シートを幅方向に撓ませる構成が公知である（特許文献１）。
【先行技術文献】
【特許文献】
【０００５】
【特許文献１】特開２０１２−１４８８８１号公報
【発明の概要】
【発明が解決しようとする課題】
【０００６】
前述された先行技術文献においては、シートの幅方向の両側を持ち上げる構成を採用しているので、シートの排出向き上流側の両側も持ち上がってしまう恐れがある。その結果、シートトレイの支持面からシートの排出向き上流側の両側も浮き上がり、その結果、その上方に積層状態でスタックされるシートのための空間が狭くなり、シートトレイに支持可能なシートの枚数が少なくなったり、シートの円滑な排出が妨げられたりする恐れがある。このような問題は、シートの幅方向の両側を持ち上げるリブなどが、シートの排出口近くに配置されるほど顕著になるので、装置の小型化の要請に反することにもなる。
【０００７】
本発明は、前述された問題に鑑みてなされたものであり、その目的は、シートトレイを小型化しても、積層状態のシートを支持するための空間が狭くなることがないシートトレイを提供することにある。
【課題を解決するための手段】
【０００８】
(1)  本発明は、排出向きへ排出されるシートを積層状態で支持する第１サポート部材と、当該第１サポート部材の下方から排出向きへ延出するように当該第１サポート部材にスライド可能に支持された第２サポート部材と、を具備するシートトレイに関する。上記第１サポート部材は、第１支持面と、当該第１支持面より下方に凹んだ第１凹部と、を有する。上記第２サポート部材は、第２支持面と、当該第２支持面より下方に凹んでおり上記第１凹部に対して排出向きへ並んで配置された第２凹部を有する。
【０００９】
第１サポート部材上に排出されたシートは、第１凹部によって第１支持面から凹んだ湾曲形状にされてから第２サポート部材へ移動する。第２サポート部材上へ移動したシートは、第２凹部によって湾曲形状を維持される。
【００１０】
(2)  上記第１凹部及び上記第２凹部は、シートを支持する底面をそれぞれ有するものであってもよい。
【００１１】
各底面により湾曲したシートが支持されるので、シートの湾曲形状の度合いを制御することができる。つまり、シートが大きく湾曲することが防止される。
【００１２】
(3)  上記第２サポート部材の排出向き先端側に設けられており、第１回動状態において上記第２サポート部材の上方に重畳し、第２回動状態において上記第２サポート部材から排出向きへ突出する第３サポート部材を更に具備しており、上記第３サポート部材は、上記第２凹部に対して幅方向の両側に配置されて上記第２支持面より上方へ突出する凸部を有するものであってもよい。
【００１３】
第３サポート部材の凸部によってシートの両側が持ち上げられるので、第２サポート部材からはみ出す大きさのシートにおいても確実に湾曲形状とすることができる。
【００１４】
(4)  本発明に係る搬送装置は、上記シートトレイと、外部へ開口された内部空間を有する装置筐体と、上記装置筐体の内部空間へシートを搬送する搬送部と、を具備する搬送装置であって、上記シートトレイは、上記装置筐体の内部空間に配置されており、上記第２サポート部材は、上記第１サポート部材から排出向きへ延出された状態において、上記装置筐体の開口から外部へ突出するものである。
【００１５】
装置筐体の開口の外方において、シートの両側が持ち上げられて湾曲されるので、装置筐体の内部空間においてシートの両側が持ち上がることが抑制される。
【発明の効果】
【００１６】
本発明に係るシートトレイによれば、シートトレイを小型化しても、積層状態のシートを支持するための空間が狭くなることがない。
【図面の簡単な説明】
【００１７】
【図１】図１は、複合機１０の斜視図である。
【図２】図２は、排出トレイ２１が引き出された状態の複合機１０の斜視図である。
【図３】図３は、給送トレイ２０及び排出トレイ２１が引き出された状態の複合機１０の斜視図である。
【図４】図４は、プリンタ部１２の内部構造を示す模式図である。
【図５】図５は、第２トレイ８２、第３トレイ８３、及び第４トレイ８４が第１トレイ８１に重畳された状態の排出トレイ２１の斜視図である。
【図６】図６は、第２トレイ８２、第３トレイ８３、及び第４トレイ８４が第１トレイ８１から引き出された状態の排出トレイ２１の斜視図である。
【図７】図７は、第２トレイ８２、第３トレイ８３、及び第４トレイ８４が第１トレイ８１から引き出された状態の排出トレイ２１の斜視図である。
【図８】図８は、第２トレイ８２、第３トレイ８３、及び第４トレイ８４が第１トレイ８１から引き出された状態の排出トレイ２１の平面図である。
【図９】図９は、図８のＩＸ−ＩＸ断面を示す断面図である。
【図１０】図１０は、図８のＸ−Ｘ断面を示す断面図である。
【図１１】図１１は、図８のＸＩ−ＸＩ断面を示す断面図である。
【図１２】図１２は、図８のＸＩＩ−ＸＩＩ断面を示す拡大断面図である。
【図１３】図１３は、第２トレイ８２、第３トレイ８３、及び第４トレイ８４が第１トレイ８１から引き出された状態の排出トレイ２１及び給送トレイ２０の側面図である。
【発明を実施するための形態】
【００１８】
以下、本発明の実施形態が説明される。なお、以下に説明される実施形態は、本発明の一例にすぎず、本発明の要旨を変更しない範囲で、本発明の実施形態が適宜変更されてもよいことは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００１９】
［複合機１０の全体構成］
図１に示されるように、複合機１０（本発明の装置の一例）は、概ね直方体に形成されている。複合機１０は、その上部に、記録用紙などの原稿に記録された画像をイメージセンサによって読み取って画像データを取得するスキャナ部１１を備えている。複合機１０は、その下部に、上記画像データなどに基づいて、記録用紙１５（本発明のシートの一例、図４参照）に画像を記録するプリンタ部１２を備えている。
【００２０】
スキャナ部１１は、所謂フラットベッドスキャナとして構成されているが、ここでは、スキャナ部１１の内部構成の詳細な説明は省略される。プリンタ部１２は、概ね直方体に形成されており、前面に開口１３を有する内部空間が形成されたプリンタ筐体１４を有している。プリンタ筐体１４が装置筐体に相当する。
【００２１】
図１，２，３に示されるように、プリンタ部１２におけるプリンタ筐体１４の内部空間には、開口１３から前後方向８に挿抜可能であって、内部に記録用紙１５が収容される給送トレイ２０と、給送トレイ２０の上側に設けられた排出トレイ２１と、が配置されている。排出トレイ２１は、給送トレイ２０の上側に給送トレイ２０と重ねられて設けられており、給送トレイ２０と一体としてプリンタ筐体１４の内部空間から取り外し可能である。給送トレイ２０が開口１３に挿入されている状態において、排出トレイ２１は、開口１３の底面を構成している。
【００２２】
図４に示されるように、プリンタ筐体１４の内部には、給送トレイ２０に収容された記録用紙１５を搬送路２３に沿って搬送させる搬送ローラ対６３及び排出ローラ対６６と、搬送路２３を搬送される記録用紙１５に画像を記録する記録部２４などが配設されている。画像が記録された記録用紙１５は、排出トレイ２１上に排出され、複数枚の記録用紙１５が排出トレイ２１に積層状態に支持される。搬送路２３、搬送ローラ対６３、排出ローラ対６６、及び排出トレイ２１によって、搬送装置が構成されている。
【００２３】
［搬送路２３］
図４に示されるように、搬送路２３は、給送トレイ２０の後端部を基点として、下方から上方に延びつつＵターンしてから、前向きに延びて排出トレイ２１に至る通路である。搬送路２３は、所定間隔を隔てて互いに対向する第１ガイド部材３１及び第２ガイド部材３２によって構成される空間である。記録用紙１５は、給送トレイ２０から搬送路２３に給送され、搬送路２３を、図４に破線の矢印で示される向きである給送向き１６及び排出向き１７に搬送される。排出向き１７に沿った方向が搬送方向に相当し、搬送方向は前後方向８と同じ方向である。
【００２４】
［搬送ローラ対６３及び排出ローラ対６６］
図４に示されるように、搬送路２３における記録部２４よりも給送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも給送向き１６の下流側には、排出ローラ６４及び拍車６５よりなる排出ローラ対６６が設けられている。拍車６５は、ばねなどの弾性部材（不図示）によって排出ローラ６４のローラ面に圧接されている。搬送ローラ６１及び排出ローラ６４は、搬送用モータ（不図示）から駆動力が伝達されることによって回転され、ピンチローラ６２及び拍車６５との間に記録用紙１５を挟持しつつ排出向き１７へ搬送する。搬送ローラ対６３及び排出ローラ対６６が、搬送部に相当する。
【００２５】
［記録部２４］
図４に示されるように、記録部２４は、搬送路２３の上側に配置されている。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が左右方向９へ往復移動されながら、搬送路２３に沿って搬送される記録用紙１５に向かってノズル３６からインク滴が吐出される。これにより、記録用紙１５に画像が記録される。
【００２６】
なお、本実施形態において、記録部２４が記録用紙１５に画像を記録する方式は、インクジェット記録方式であるが、記録部２４が記録用紙１５に画像を記録する方式はインクジェット記録方式に限らず、例えば電子写真方式などであってもよい。
【００２７】
［給送トレイ２０］
図５，６に示されるように、給送トレイ２０は、底板７４と、底板７４の左右端から上向きに立設された一対の側板７５と、底板７４の後端から上向きに立設された前板７６とを備えている。底板７４には、記録用紙１５が載置される。底板７４に載置された記録用紙１５は、給紙ローラ２５（図４参照）によって搬送路２３へ給送される。
【００２８】
詳細な構成の説明は省略されるが、給送トレイ２０は、前後方向８の前側部分と後側部分とに分かれて相互にスライド可能に連結されている。前側部分と後側部分とが近づく向きへスライドされると、図５に示されるように、給送トレイ２０の前後方向８の寸法が最小な状態となる。この最小な状態の給送トレイ２０は、例えば、Ａ４サイズの記録用紙１５を、その短辺を前後方向８に沿わせた状態で支持するに好適である。前側部分と後側部分とが離れる向きへスライドされると、図６に示されるように、給送トレイ２０の前後方向８の寸法が最大な状態となる。この最大な状態の給送トレイ２０は、例えば、Ａ３サイズの記録用紙１５を、その長辺を前後方向８に沿わせた状態で支持するに好適である。
【００２９】
［排出トレイ２１］
図６，７，８に示されるように、排出トレイ２１は、第１トレイ８１、第２トレイ８２、第３トレイ８３、第４トレイ８４、及び第５トレイ８５を備えている。第１トレイ８１は、給送トレイ２０の一対の側板７５に回動可能に支持されている。第２トレイ８２は、第１トレイ８１の下方に支持されており、排出向き１７に沿って、つまり前後方向８に沿って第１トレイ８１から引き出し及び押し入れが可能である。第３トレイ８３は、第２トレイ８２の下方に支持されており、排出向き１７に沿って、つまり前後方向８に沿って第２トレイ８２から引き出し及び押し入れが可能である。第４トレイ８４は、第３トレイ８３の下方に支持されており、排出向き１７に沿って、つまり前後方向８に沿って第３トレイ８３から引き出し及び押し入れが可能である。第５トレイ８５は、第４トレイ８４の上方に回動可能に支持されており、第４トレイ８４の上方に重畳される回動姿勢と、第４トレイ８４から排出向き１７へ突出する回動姿勢とに回動可能である。
【００３０】
第２トレイ８２から第５トレイ８５が第１トレイ８１の下方に押し入れられた状態が、図５に示されている。第２トレイ８２から第４トレイ８４が排出向き１７に引き出され、第５トレイ８５が排出向き１７へ突出された状態が、図６，７，８に示されている。つまり、本実施形態において、各トレイの引き出し向きは、後方から前方への向き（前向き）であり、押し入れ向きは、前方から後方への向き（後向き）である。各トレイの押し入れや引き出し、並びに回動は、排出トレイ２１に排出される記録用紙１５の大きさに応じてユーザが行う。
【００３１】
図２に示されるように、第１トレイ８１から第３トレイ８３及び第４トレイ８４のみが排出向き１７へ引き出されて、第３トレイ８３及び第４トレイ８４がプリンタ筐体１４の開口１３から外側へ突出された状態にされることも可能である。また、図３に示されるように、第１トレイ８１から第２トレイ８２、第３トレイ８３及び第４トレイ８４が排出向き１７へ引き出され、かつ第５トレイ８５が排出向き１７へ突出する回動姿勢にされて、第２トレイ８２、第３トレイ８３、第４トレイ８４及び第５トレイ８５がプリンタ筐体１４の開口１３から外部へ突出された状態にされることも可能である。また、各図には示されていないが、第１トレイ８１から第４トレイ８４のみが排出向き１７へ引き出された状態にされることも可能である。また、このような排出トレイ２１の各トレイの引き出しや回動は、給送トレイ２０のスライドとは独立して行うことができる。
【００３２】
排出トレイ２１がシートトレイに相当する。第１トレイ８１が第１サポート部材に相当する。第２トレイ８２、第３トレイ８３及び第４トレイ８４が第２サポート部材に相当する。第５トレイ８５が第３サポート部材に相当する。
【００３３】
［第１トレイ８１］
図５，６，７，８に示されるように、第１トレイ８１は、前後方向８の外形寸法より左右方向９の外形寸法が長い矩形の平板形状である。第１トレイ８１の左右方向９の外形寸法は、給送トレイ２０の一対の側板７５間の距離とほぼ同じである。第１トレイ８１の上面８６は、前後方向８及び左右方向９に沿った平面である。第１トレイ８１における前後方向８の後ろ側であって左右方向９の両側には、不図示の支軸が左右方向９に沿って外側へ突出されている。支軸が、給送トレイ２０の一対の側板７５の上端側にそれぞれ支持されることにより、第１トレイ８１が給送トレイ２０の上側に回動可能に連結されている。第１トレイ８１における前後方向８の前端であって左右方向９の中央には、矩形の切欠き部８９が設けられている。前後方向８が排出向き１７に沿った搬送方向に相当し、左右方向９が幅方向に相当する。上面８６が第１支持面に相当する。切欠き部８９が第１凹部に相当する。
【００３４】
図９に示されるように、第１トレイ８１の下面９０には、各々が前後方向８に沿って延出された４つのレール部９１，９２，９３，９４が設けられている。４つのレール部９１，９２，９３，９４は、第１トレイ８１の下面９０における左右方向９の配置が異なる。各レール部９１，９２，９３，９４は、前後方向８に沿って延びるリブと、当該リブから左右方向９の左向き又は右向きへ突出するリブとによってＬ字形状をなしており、このＬ字形状のリブによって下面９０側において第２トレイ８２を前後方向８にスライド可能に支持している。
【００３５】
切欠き部８９は、第１トレイ８１を上下方向７に貫通している。切欠き部８９は、左右方向９において一定の幅であり、左右方向９において対向する一対の縁部９５は前後方向８に沿って延びている。また、切欠き部８９の前後方向８の寸法は、左右方向９の寸法より短い。
【００３６】
［第２トレイ８２］
図５，６，７，８に示されるように、第２トレイ８２は、前後方向８の外形寸法より左右方向９の外形寸法が長い矩形の平板形状である。第２トレイ８２の左右方向９の外形寸法は、第１トレイ８１の左右方向９の外形寸法とほぼ同じである。第２トレイ８２の上面１０６は、前後方向８及び左右方向９に沿った概ね平面である。第２トレイ８２の上面１０６における左右方向９の両側部分には、上下方向７及び前後方向８に沿った段差面１０７，１０８が下方へ延出されており、段差面１０８，１０７から更に左右方向９の外向きへ、第２トレイ８２の上面１０９，１１０が上面１０６とは段差をなして拡がっている。上面１０６が第２支持面に相当する。
【００３７】
第２トレイ８２における前後方向８の前端であって左右方向９の中央には、矩形の切欠き部１１１が設けられている。切欠き部１１１は、第２トレイ８２を上下方向７に貫通している。切欠き部１１１は、左右方向９において一定の幅であり、左右方向９において対向する一対の縁部１１４は前後方向８に沿って延びている。縁部１１４間の左右方向９に沿った寸法は、切欠き部８９の縁部９５間の左右方向９に沿った寸法と同等である。つまり、切欠き部１１１は、切欠き部８９と同幅である。また、切欠き部１１１の前後方向８の寸法は、左右方向９の寸法より短い。切欠き部１１１は、第２トレイ８２が第１トレイ８１の下方へ押し込まれた状態において、第１トレイ８１の切欠き部８９と重なる。切欠き部１１１が第２凹部に相当する。
【００３８】
図８に示されるように、第２トレイ８２には、前後方向８の後端から前後方向８に沿ってスリット１１２，１１３が形成されている。スリット１１２，１１３は、第２トレイ８２の左右方向９の中央に対して対称な位置に配置されている。スリット１１２には、第１トレイ８１のレール部９２が挿通される。スリット１１３には、第１トレイ８１のレール部９４が挿通される。
【００３９】
なお、各図には現れていないが、第２トレイ８２の段差面１０７，１０８の上下方向７の上端から左右方向９の外向きへ突片がそれぞれ突出している。これら突片が第１トレイ８１のレール部９１，９３によって支持されている。
【００４０】
これにより、第２トレイ８２は、第２トレイ８２の排出向き１７の先端（前後方向８の前端）の位置が第１トレイ８１に覆われる第１位置（図５参照）と、第２トレイ８２の先端が第１トレイ８１から排出向き１７下流側へ最大に突出した第２位置（図６参照）と、の間を前後方向８に沿ってスライド可能となる。
【００４１】
第２トレイ８２の下面１４０には、各々が前後方向８に沿って延出された４つのレール部１４１、１４２，１４３，１４４が設けられている。各レール部１４１、１４２，１４３，１４４は、第２トレイ８２の下面１４０における左右方向９の配置が異なる。各レール部１４１，１４２，１４３，１４４は、前後方向８に沿って延びるリブと、当該リブから左右方向９の左向き又は右向きへ突出するリブとによってＬ字形状をなしており、このＬ字形状のリブによって下面１４０側において第３トレイ８３を前後方向８にスライド可能に支持している。
【００４２】
［第３トレイ８３］
図５，６，７，８に示されるように、第３トレイ８３は、前後方向８の外形寸法より左右方向９の外形寸法が長い矩形の平板形状である。第３トレイ８３の左右方向９の外形寸法は、第２トレイ８２の左右方向９の外形寸法とほぼ同じである。第３トレイ８３の上面１５６は、前後方向８及び左右方向９に沿った概ね平面である。第３トレイ８３の上面１５６における左右方向９の両側部分には、上下方向７及び前後方向８に沿った段差面１５７，１５８が下方へ延出されており、段差面１５７，１５８から更に左右方向９の外向きへ、第３トレイ８３の上面１５９，１６０が上面１５６とは段差をなして拡がっている。上面１５６が第２支持面に相当する。
【００４３】
第３トレイ８３における前後方向８の前端であって左右方向９の中央には、矩形の切欠き部１６１が設けられている。切欠き部１６１は、第３トレイ８３を上下方向７に貫通している。切欠き部１６１は、左右方向９において一定の幅であり、左右方向９において対向する一対の縁部１６４は前後方向８に沿って延びている。縁部１６１間の左右方向９に沿った寸法は、切欠き部８９の縁部９５間の左右方向９に沿った寸法より大きい。つまり、切欠き部１６１は、切欠き部８９より幅広である。また、切欠き部１６１の前後方向８の寸法は、左右方向９の寸法より短い。切欠き部１６１は、第３トレイ８３が第２トレイ８２の下方へ押し込まれた状態において、第２トレイ８２の切欠き部１１１と重なる。切欠き部１６１が第２凹部に相当する。
【００４４】
図８に示されるように、第３トレイ８３には、前後方向８の後端から前後方向８に沿ってスリット１６２，１６３が形成されている。スリット１６２，１６３は、第３トレイ８３の左右方向９の中央に対して対称な位置に配置されている。スリット１６２には、第２トレイ８２のレール部１４２が挿通される。スリット１６３には、第２トレイ８２のレール部１４４が挿通される。
【００４５】
なお、各図には現れていないが、第３トレイ８３の段差面１５７，１５８の上下方向７の上端から左右方向９の外向きへ突片がそれぞれ突出している。これら突片が第２トレイ８２のレール部１４１，１４３によって支持されている。
【００４６】
これにより、第３トレイ８３は、第３トレイ８３の排出向き１７の先端（前後方向８の前端）の位置が第２トレイ８２に覆われる第１位置（図５参照）と、第２トレイ８２の先端が第２トレイ８２から排出向き１７下流側へ最大に突出した第２位置（図６参照）と、の間を前後方向８に沿ってスライド可能となる。
【００４７】
第３トレイ８３の下面１９０には、各々が前後方向８に沿って延出された４つのレール部１９１，１９２，１９３，１９４が設けられている。各レール部１９１，１９２，１９３，１９４は、第３トレイ８３の下面１９０における左右方向９の配置が異なる。各レール部１９１，１９２，１９３，１９４は、前後方向８に沿って延びるリブと、当該リブから左右方向９の左向き又は右向きへ突出するリブとによってＬ字形状をなしており、このＬ字形状のリブによって下面１９０側において第４トレイ８４を前後方向８にスライド可能に支持している。
【００４８】
［第４トレイ８４］
図５，６，７，８に示されるように、第４トレイ８４は、前後方向８の外形寸法より左右方向９の外形寸法が長い矩形の平板形状である。第４トレイ８４の左右方向９の外形寸法は、第３トレイ８３の左右方向９の外形寸法とほぼ同じである。第４トレイ８４の上面２０６は、前後方向８及び左右方向９に沿った概ね平面である。第４トレイ８４の上面２０６における左右方向９の両側部分には、上下方向７及び前後方向８に沿った段差面２０７，２０８が下方へ延出されており、段差面２０７，２０８から更に左右方向９の外向きへ、第４トレイ８４の上面２０９，２１０が上面２０６とは段差をなして拡がっている。
【００４９】
第４トレイ８４における前後方向８の前端であって左右方向９の中央には、矩形の凹部２１１が設けられている。凹部２１１は、第５トレイ８５が収容される空間である。したがって、凹部２１１は、第５トレイ８５の外形より若干大きく、かつ第５トレイ８５の厚みより若干深い。
【００５０】
図８に示されるように、第４トレイ８４には、前後方向８の後端から前後方向８に沿って凹溝２１２，２１３が形成されている。凹溝２１２，２１３は、第４トレイ８４の左右方向９の中央に対して対称な位置に配置されている。凹溝２１２には、第３トレイ８３のレール部１９２が挿入される。凹溝２１３には、第３トレイ８３のレール部１９４が挿入される。
【００５１】
なお、各図には現れていないが、第４トレイ８４の段差面２０７，２０８の上下方向７の上端から左右方向９の外向きへ突片がそれぞれ突出している。これら突片が第３トレイ８３のレール部１９１，１９３によって支持されている。
【００５２】
これにより、第４トレイ８４は、第４トレイ８４の排出向き１７の先端（前後方向８の前端）の位置が第３トレイ８３に覆われる第１位置（図５参照）と、第４トレイ８４の先端が第３トレイ８３から排出向き１７下流側へ最大に突出した第２位置（図６参照）と、の間を前後方向８に沿ってスライド可能となる。
【００５３】
［第５トレイ８５］
図６，７，８に示されるように、第５トレイ８５は、前後方向８の外形寸法より左右方向９の外形寸法が長い矩形の平板形状である。第５トレイ８５の左右方向９の外形寸法は、第４トレイ８４の左右方向９の外形寸法よりも短く、第４トレイ８４の凹部２１１の左右方向９の外形寸法より若干短い。第５トレイ８５における左右方向９の両側には、支軸２３５，２３６が左右方向９に沿って外側へ突出されている。支軸２３５，２３６が、第４トレイ８４の凹部２１１における前後方向８の前端付近にそれぞれ支持されることにより、第５トレイ８５が第４トレイ８４の上側に回動可能に連結されている。
【００５４】
第５トレイ８５は、第４トレイ８４上に重畳する第１回動状態と、第４トレイ８４から前後方向８の前側へ斜め上方へ突出する第２回動状態との間で、支軸２３５，２３６周りに回動可能である。図５に示されるように、第５トレイ８５が第４トレイ８４上に重畳すると、第５トレイ８５は第４トレイ８４の凹部２１１の空間内に収まる。その状態において、第５トレイ８５は、第４トレイ８４と共に第３トレイ８３の下方へ重畳する。
【００５５】
図６，７に示されるように、第４トレイ８４が第３トレイ８３から引き出された状態において、第５トレイ８５は、凹部２１１から引き出されるように回動されて、第４トレイ８４から前後方向８の前側へ斜め上方へ突出する。
【００５６】
第５トレイ８５における左右方向９の両端には、第２回動状態において上下方向７に沿って上向きへ突出する第１凸部２３７，２３８が形成されている。また、第５トレイ８５は、第１凸部２３７，２３８より左右方向９の内側に、第２回動状態において上下方向７に沿って上向きへ突出する第２凸部２４０，２４１が形成されている。第１凸部２３７，２３８及び第２凸部２４０，２４１により、第２回動状態の第５トレイ８５は、左右方向９の両端が上向きへ突出するトレイ形状をなしている。第１凸部２３７，２３８は、第１トレイ８１の切欠き部８９の縁部９５、第２トレイ８２の切欠き部１１１の縁部１１４、第３トレイ８３の切欠き部１６１の縁部１６４より左右方向９の外側にそれぞれ位置している。第１凸部２３７，２３８が第５トレイ８５の上面２３９から上方へ突出する寸法は、第２凸部２４０，２４１、切欠き部８９、切欠き部１１１及び切欠き部１６１のいずれの上下方向７の寸法よりも大きい。
【００５７】
［排出トレイ２１による記録用紙１５の支持］
以下、図７〜図１３に示されるように、第１トレイ８１から第２トレイ８２、第３トレイ８３及び第４トレイ８４が排出向き１７へ引き出され、第５トレイ８５が第２回動状態において、排出トレイ２１が記録用紙１５を支持する状態が説明される。
【００５８】
第１トレイ８１から第２トレイ８２、第３トレイ８３及び第４トレイ８４が排出向き１７へ引き出された状態において、切欠き部８９、切欠き部１１１、切欠き部１６１は、排出向き１７に沿って、すなわち前後方向８に沿って並んで配置される。切欠き部８９の縁部９５と切欠き部１１１の縁部１１４とは、前後方向８に沿って直線上に並んでおり、切欠き部１６１の縁部１６４は、縁部９５，１１４より左右方向９の外側に位置している。
【００５９】
第１トレイ８１の切欠き部８９の下方には、第２トレイ８２の上面１０６が位置している。つまり、上面１０６が切欠き部８９の底面の如く位置している。第２トレイ８２の切欠き部１１１の下方には、第３トレイ８３の上面１５６が位置している。つまり、上面１５６が切欠き部１１１の底面の如く位置している。第３トレイ８３の切欠き部１６１の下方には、第４トレイ８４の上面２０６が位置している。つまり、上面２０６が切欠き部１６１の底面の如く位置している。
【００６０】
プリンタ部１２において搬送ローラ対６３及び排出ローラ対６６により排出向き１７へ搬送された記録用紙１５は、プリンタ筐体１４の内部空間において排出トレイ２１上へ排出される。排出された記録用紙１５の先端は、先ず第１トレイ８１上に位置する。図９に示されるように、第１トレイ８１の上面８６は前後方向８及び左右方向９に沿った平面なので、記録用紙１５は自重により上面８６に沿った状態、すなわち左右方向９において直線形状になる。
【００６１】
第１トレイ８１の上面８６において、記録用紙１５の排出向き１７の先端側が切欠き部８９に到達すると、切欠き部８９によって記録用紙１５の左右方向９に沿った幅の中央が自重によって下方へ撓み、第２トレイ８２の上面１０６に接触する。また、記録用紙１５の幅の中央の両側は、切欠き部８９の縁部９５に支持される。これにより、記録用紙１５の先端側は、幅の中央が両端より相対的に下方へ凹んだ湾曲形状となる。記録用紙１５が排出向き１７へ更に搬送されるに伴って、記録用紙１５の排出向き１７の先端側から後端側へ向かって同様に、幅の中央が両端より相対的に下方へ凹んだ湾曲形状になる。
【００６２】
図１０に示されるように、第２トレイ８２の上面１０６へ到達した記録用紙１５は、第１トレイ８１において形成された湾曲形状を維持している。第２トレイ８２の上面１０６において、記録用紙１５の排出向き１７の先端側が切欠き部１１１に到達すると、切欠き部１１１によって記録用紙１５の左右方向９に沿った幅の中央が自重によって下方へ撓み、第３トレイ８３の上面１５６に接触する。また、記録用紙１５の幅の中央の両側は、切欠き部１１１の縁部１１４に支持される。これにより、記録用紙１５の先端側は、幅の中央が両端より相対的に下方へ凹んだ湾曲形状が維持される。また、記録用紙１５が排出向き１７へ更に搬送されるに伴って、記録用紙１５の排出向き１７の先端側から後端側へ向かって同様に、幅の中央が両端より相対的に下方へ凹んだ湾曲形状が維持される。
【００６３】
図１１に示されるように、第３トレイ８３の上面１５６へ到達した記録用紙１５は、第２トレイ８２において形成された湾曲形状を維持している。第３トレイ８３の上面１５６において、記録用紙１５の排出向き１７の先端側が切欠き部１６１に到達すると、切欠き部１６１によって記録用紙１５の左右方向９に沿った幅の中央が自重によって下方へ撓み、第４トレイ８４の上面２０６に接触する。また、記録用紙１５の幅の中央の両側は、切欠き部１６１の縁部１６４に支持される。縁部１６４間の左右方向９に沿った寸法は、縁部１１４間の左右方向９に沿った寸法より大きいので、記録用紙１５の先端側は、幅の中央が両端より相対的に下方へ凹んだ湾曲形状であって、左右方向９の両端側が中央より更に上方へ持ち上がった形状となる。また、記録用紙１５が排出向き１７へ更に搬送されるに伴って、記録用紙１５の排出向き１７の先端側から後端側へ向かって同様の湾曲形状が形成される。
【００６４】
図１２に示されるように、第４トレイ８４の上面２０６から第２回動状態の第５トレイ８５へ到達した記録用紙１５は、第３トレイ８３の切欠き部１６１によって形成された湾曲形状を維持している。第５トレイ８５の上面２３９において、記録用紙１５の排出向き１７の先端側が第１凸部２３７，２３８及び第２凸部２４０，２４１に到達すると、第１凸部２３７，２３８によって記録用紙１５の左右方向９に沿った両端側が支持され、第２凸部２４０，２４１によって記録用紙１５の両端側より中央側が支持される。また、記録用紙１５の幅の中央が自重によって下方へ撓んで上面２３９に接触する。第１凸部２３７，２３８は、第２凸部２４０，２４１より上下方向７に沿った寸法が大きく、第１凸部２３７，２３８間の左右方向９に沿った寸法は、縁部１６４間の左右方向９に沿った寸法より大きいので、記録用紙１５の先端側は、幅の中央が両端より相対的に下方へ凹んだ湾曲形状であって、左右方向９の両端側が中央より更に上方へ持ち上がった形状となる。
【００６５】
図１３に示されるように、排出トレイ２１上に記録用紙１５が完全に排出されると、第１トレイ８１上においては、つまり記録用紙１５の排出向き１７の後端側においては左右方向９に沿った形状がほぼ直線形状となる。第２トレイ８２及び第３トレイ８３上においては、左右方向９に沿った形状が幅の中央より両端側が上方へ持ち上がった形状となる。第４トレイ８４上においては、第２トレイ８２及び第３トレイ８３上より左右方向９の両端側が更に上方へ持ち上がった湾曲形状となる。第５トレイ８５上においては、つまり記録用紙１５の排出向き１７の先端側においては左右方向９の両端側が最も持ち上がって最も湾曲した形状となる。
【００６６】
各図には示されていないが、排出トレイ２１上に更に記録用紙１５が排出されると、既に排出されて前述のように湾曲した記録用紙１５に沿って湾曲されながら、排出トレイ２１上に記録用紙１５が順次積層される。
【００６７】
［本実施形態の作用効果］
前述されたように、第１トレイ８１上に排出された記録用紙１５は、切欠き部８９によって上面８６から凹んだ湾曲形状にされてから第２トレイ８２上へ移動する。第２トレイ８２上へ移動した記録用紙１５は、切欠き部１１１によって湾曲形状を維持される。同様に、第３トレイ８３上に移動した記録用紙１５は、切欠き部１６１によって湾曲形状を維持される。これより、第１トレイ８１の下方に第２トレイ８２及び第３トレイ８３が収容される構成において、第１トレイ８１から第３トレイ８３までの上下方向７に沿った寸法を小型化して、排出トレイ２１上に記録用紙１５を積層するための空間が狭くなることを抑制できる。すなわち、プリンタ筐体１４において開口１３を有する内部空間を記録用紙１５を積層するための空間として効率的に活用できる。
【００６８】
また、切欠き部８９の下方には第２トレイ８２の上面１０９が底面として存在し、切欠き部１１１の下方には第３トレイ８３の上面１５６が底面として存在し、切欠き部１６１の下方には第４トレイ８４の上面２０６が底面として存在するので、各切欠き部８９，１１１，１６１により記録用紙１５が湾曲される度合いが制御されて、必要以上に大きく記録用紙１５が湾曲することが防止できる。
【００６９】
また、第２トレイ８２及び第３トレイ８３より排出向き１７の先端側に第５トレイ８５が設けられており、第２回動状態の第５トレイ８５の第１凸部２３７，２３８及び第２凸部２４０，２４１によって記録用紙１５の両端側が持ち上げられるので、第５トレイ８５の左右方向９の外側へはみ出す大きさの記録用紙１５も確実に湾曲形状にすることができる。
【００７０】
また、第２トレイ８２、第３トレイ８３、第４トレイ８４及び第５トレイ８５は、第１トレイ８１から排出向き１７へ引き出された状態において、プリンタ筐体１４の開口１３から外部へ突出しており、記録用紙１５は、第２トレイ８２、第３トレイ８３、第４トレイ８４及び第５トレイ８５上において、すなわちプリンタ筐体１４の開口１３の外方において、左右方向９の両側が持ち上げられて湾曲されるので、プリンタ筐体１４の内部空間において記録用紙１５の両側が持ち上がることが抑制される。
【００７１】
［変形例］
前述された実施形態では、第２サポート部材として２つのトレイ、すなわち第２トレイ８２及び第３トレイ８３が設けられているが、第２サポート部材として第１サポート部材から延出されるトレイの数は適宜増減されてもよい。
【００７２】
また、前述された実施形態では、切欠き部８９、１１１，１６１は、各トレイを上下方向７に貫通しているが、各トレイにおいて底面を有する凹部として構成されていても、前述と同様の作用効果が奏される。
【符号の説明】
【００７３】
１３  開口
１４  プリンタ筐体（装置筐体）
２１  排出トレイ（シートトレイ）
６３  搬送ローラ対（搬送部）
６６  排出ローラ対（搬送部）
８１  第１トレイ（第１サポート部材）
８２  第２トレイ（第２サポート部材）
８３  第３トレイ（第２サポート部材）
８５  第５トレイ（第３サポート部材）
８６  上面（第１支持面）
８９  切欠き部（第１凹部）
１０６  上面（第２支持面、底面）
１１１  切欠き部（第２凹部）
１５６  上面（第２支持面、底面）
１６１  切欠き部（第２凹部）
２０６  上面（底面）
２３７，２３８  第１凸部（凸部）
２４０，２４１  第２凸部（凸部）
【図１】
2015034065.tif 000003
【図２】
2015034065.tif 000004
【図３】
2015034065.tif 000005
【図４】
2015034065.tif 000006
【図５】
2015034065.tif 000007
【図６】
2015034065.tif 000008
【図７】
2015034065.tif 000009
【図８】
2015034065.tif 000010
【図９】
2015034065.tif 000011
【図１０】
2015034065.tif 000012
【図１１】
2015034065.tif 000013
【図１２】
2015034065.tif 000014
【図１３】
2015034065.tif 000015